(57)【要約】【課題】許可されていない相手の装置および人との間でのコンテンツの送受信を防止する。【解決手段】コンテンツ送信装置１は、受信側能力通知要求をコンテンツ受信装置２に送信する（Ｓ１）。コンテンツ受信装置２は、受信側能力通知応答をコンテンツ送信装置１に送信する（Ｓ３）。受信側能力通知要求では、受信装置の能力の通知が必要であること、受信装置の認証が必要であること（受信装置認証要）、受信者の認証が必要であること（受信者認証要）が通知される。受信側能力通知応答では、受信装置の能力、送信装置の認証が必要であること（送信装置認証要）、送信者の認証が必要であること（送信者認証要）が通知される。コンテンツ送信装置１は、受信装置の能力が十分か否かを確認する。次に、送受信装置認証（Ｓ５）と送受信者認証（Ｓ７）が行われる。【選択図】図１２
2011164673.tif 000002
【特許請求の範囲】
【請求項１】
コンテンツを送信するコンテンツ送信装置と、コンテンツを受信するコンテンツ受信装置とを含むコンテンツ送受信システムであって、
前記コンテンツ送信装置は、
コンテンツの送信にあたり、相手が許可された相手であるか否かを判定するための情報を記憶する送信側記憶手段と、
コンテンツの送信にあたり、コンテンツ受信装置から情報を受信し、該情報及び当該送信側記憶手段に記憶された情報に基づいて、当該コンテンツ受信装置が、コンテンツの受信を許可されたコンテンツ受信装置か否かを判定するコンテンツ受信装置認証手段と、
コンテンツの送信にあたり、コンテンツ受信装置から情報を受信し、該情報及び当該送信側記憶手段に記憶された情報と基づいて、当該コンテンツ受信装置を介してコンテンツを受信するコンテンツ受信者が、コンテンツの受信を許可されたコンテンツ受信者か否かを判定するコンテンツ受信者認証手段とを有し、
前記コンテンツ受信装置は、
コンテンツの受信にあたり、相手が許可された相手であるか否かを判定するための情報を記憶する受信側記憶手段と、
コンテンツの受信にあたり、コンテンツ送信装置から情報を受信し、該情報及び当該受信側記憶手段に記憶された情報に基づいて、当該コンテンツ送信装置が、コンテンツの送信を許可されたコンテンツ送信装置か否かを判定するコンテンツ送信装置認証手段と、
コンテンツの受信にあたり、コンテンツ送信装置から情報を受信し、該情報及び当該受信側記憶手段に記憶された情報に基づいて、当該コンテンツ送信装置を介してコンテンツを送信するコンテンツ送信者が、コンテンツの送信を許可されたコンテンツ送信者か否かを判定するコンテンツ送信者認証手段とを有する
ことを特徴とするコンテンツ送受信システム。
【請求項２】
前記コンテンツ受信装置認証手段、前記コンテンツ送信装置認証手段、前記コンテンツ受信者認証手段、前記コンテンツ送信者認証手段のいずれかは、受信した情報および該情報の比較対象である情報が互いに一致したなら、相手は許可された相手であるとの判定結果を得る
ことを特徴とする請求項１記載のコンテンツ送受信システム。
【請求項３】
前記比較対象の情報は、相手を示すＩＤおよびパスワードである
ことを特徴とする請求項２記載のコンテンツ送受信システム。
【請求項４】
前記コンテンツ受信者認証手段、前記コンテンツ送信者認証手段のいずれかは、受信した情報および該情報の比較対象である情報が互いに一致したなら、相手は許可された相手であるとの判定結果を得るものであり、
前記比較対象の情報は、相手の生体的特徴を示す生体情報である
ことを特徴とする請求項１記載のコンテンツ送受信システム。
【請求項５】
前記コンテンツ受信装置認証手段、前記コンテンツ送信装置認証手段、前記コンテンツ受信者認証手段、前記コンテンツ送信者認証手段のいずれかは、所定の原文メッセージを相手の公開鍵で暗号化して認証用メッセージを生成し相手の装置に送信し、当該認証用メッセージが相手の秘密鍵で復号化されて生成された解読メッセージを相手の装置から受信し、当該解読メッセージと前記原文メッセージが互いに一致したなら、相手は許可された相手であるとの判定結果を得る
ことを特徴とする請求項１記載のコンテンツ送受信システム。
【請求項６】
コンテンツを送信するコンテンツ送信装置と、コンテンツを受信するコンテンツ受信装置とを含むコンテンツ送受信システムにおける認証方法であって、
前記コンテンツ送信装置は、
コンテンツの送信にあたり、相手が許可された相手であるか否かを判定するための情報を記憶する送信側記憶手段を有し、
前記コンテンツ受信装置は、
コンテンツの受信にあたり、相手が許可された相手であるか否かを判定するための情報を記憶する受信側記憶手段を有し、
前記認証方法は、
前記コンテンツ送信装置のコンテンツ受信装置認証手段が、コンテンツの送信にあたり、コンテンツ受信装置から情報を受信し、該情報及び当該送信側記憶手段に記憶された情報に基づいて、当該コンテンツ受信装置が、コンテンツの受信を許可されたコンテンツ受信装置か否かを判定するステップと、
前記コンテンツ送信装置のコンテンツ受信者認証手段が、コンテンツの送信にあたり、コンテンツ受信装置から情報を受信し、該情報及び当該送信側記憶手段に記憶された情報と基づいて、当該コンテンツ受信装置を介してコンテンツを受信するコンテンツ受信者が、コンテンツの受信を許可されたコンテンツ受信者か否かを判定するステップと、
前記コンテンツ受信装置のコンテンツ送信装置認証手段が、コンテンツの受信にあたり、コンテンツ送信装置から情報を受信し、該情報及び当該受信側記憶手段に記憶された情報に基づいて、当該コンテンツ送信装置が、コンテンツの送信を許可されたコンテンツ送信装置か否かを判定するステップと、
前記コンテンツ受信装置のコンテンツ送信者認証手段が、コンテンツの受信にあたり、コンテンツ送信装置から情報を受信し、該情報及び当該受信側記憶手段に記憶された情報に基づいて、当該コンテンツ送信装置を介してコンテンツを送信するコンテンツ送信者が、コンテンツの送信を許可されたコンテンツ送信者か否かを判定するステップとを有する  ことを特徴とするコンテンツ送受信システムにおける認証方法。
【請求項７】
前記コンテンツ受信装置認証手段、前記コンテンツ送信装置認証手段、前記コンテンツ受信者認証手段、前記コンテンツ送信者認証手段のいずれかは、受信した情報および該情報の比較対象である情報が互いに一致したなら、相手は許可された相手であるとの判定結果を得る
ことを特徴とする請求項６記載のコンテンツ送受信システムにおける認証方法。
【請求項８】
前記コンテンツ受信装置認証手段、前記コンテンツ送信装置認証手段、前記コンテンツ受信者認証手段、前記コンテンツ送信者認証手段のいずれかは、
所定の原文メッセージを相手の公開鍵で暗号化して認証用メッセージを生成し相手の装置に送信し、当該認証用メッセージが相手の秘密鍵で復号化されて生成された解読メッセージを相手の装置から受信し、当該解読メッセージと前記原文メッセージが互いに一致したなら、相手は許可された相手であるとの判定結果を得る
ことを特徴とする請求項６記載のコンテンツ送受信システムにおける認証方法。
【請求項９】
請求項１ないし５のいずれかに記載のコンテンツ送受信システムにおけるコンテンツ送信装置またはコンテンツ受信装置としてコンピュータを機能させるためのコンピュータプログラム。
【発明の詳細な説明】
【技術分野】
【０００１】
本発明は、コンテンツ送受信システムおよびコンテンツ送受信システムにおける認証方法に関するものである。
【背景技術】
【０００２】
従来にあっては、電話番号を使ってコンテンツ（デジタルのコンテンツを構成するファイル）を送受信するため、ＳＩＰの呼制御を利用して、呼接続が完了した後、ＴＣＰ（ＨＴＴＰ等）により、コンテンツを送受信する。
【０００３】
図２９は、従来のコンテンツ送受信システムにおける概略の動作シーケンス例を示す図である。
【０００４】
コンテンツ送信装置１Ａにおいて、コンテンツが選択され、ダイヤルおよび送信の指示がなされると、コンテンツ送信装置１Ａは、コンテンツ受信装置２Ａに対し、ＳＩＰによる発呼を行う。コンテンツ受信装置２Ａは、ＳＩＰによる応答を行う。ＴＣＰセッションが確立すると、コンテンツ送信装置１Ａは、受信側能力通知要求をコンテンツ受信装置２に送信する（Ｓ１Ａ）。コンテンツ受信装置２Ａは、受信側能力通知応答をコンテンツ送信装置１に送信する（Ｓ３Ａ）。
【０００５】
受信側能力通知要求では、受信装置の能力の通知が必要であることが通知される。受信側能力通知応答では、受信装置の能力が通知される。コンテンツ送信装置１Ａは、受信装置の能力が十分か否かを確認する。
【０００６】
コンテンツ送信装置１Ａにおいて能力が十分であることが確認されたなら（Ｓ１１Ａ）、コンテンツ送信装置１Ａ、コンテンツ受信装置２Ａは、コンテンツを送受信する（Ｓ１５）。
【０００７】
具体的には、コンテンツ送信装置１Ａは、コンテンツのファイル名、ＭＩＭＥ−Ｔｙｐｅを通知し、受信開始を受信したなら、コンテンツを例えば、複数回に分けて送信する。コンテンツ受信装置２Ａが、送信完了応答を送信したなら、一連の処理が終わる。
【先行技術文献】
【特許文献】
【０００８】
【特許文献１】特開２００９−２５３８１５号公報
【特許文献２】特開２００４−３２６５７２号公報
【特許文献３】特開２００６−０２５１７８号公報
【発明の概要】
【発明が解決しようとする課題】
【０００９】
しかしながら、従来のコンテンツ送受信システムには、以下の問題がある。
【００１０】
まず、コンテンツ送信装置１は、コンテンツの受信を許可されていないコンテンツ受信装置にコンテンツを送信してしまう虞がある。
【００１１】
また、コンテンツ送信装置１は、コンテンツ受信装置にコンテンツを送信することで、コンテンツの受信を許可されていないコンテンツ受信者が、コンテンツ受信装置を介して、コンテンツを受け取る（以下、受信という）虞がある。
【００１２】
また、コンテンツ受信装置２は、コンテンツの送信を許可されていないコンテンツ送信装置からコンテンツを送信されてしまう虞がある。
【００１３】
また、コンテンツ受信装置２は、コンテンツの送信を許可されていないコンテンツ送信者から、コンテンツ送信装置を介して、コンテンツが送信されてしてしまう虞がある。
【００１４】
本発明は、上記の課題に鑑みてなされたものであり、その目的とするところは、許可されていない相手の装置および人との間でのコンテンツの送受信を防止できるコンテンツ送受信システムおよびコンテンツ送受信システムにおける認証方法を提供することにある。
【課題を解決するための手段】
【００１５】
上記の課題を解決するために、第１の本発明は、コンテンツを送信するコンテンツ送信装置と、コンテンツを受信するコンテンツ受信装置とを含むコンテンツ送受信システムであって、前記コンテンツ送信装置は、コンテンツの送信にあたり、相手が許可された相手であるか否かを判定するための情報を記憶する送信側記憶手段と、コンテンツの送信にあたり、コンテンツ受信装置から情報を受信し、該情報及び当該送信側記憶手段に記憶された情報に基づいて、当該コンテンツ受信装置が、コンテンツの受信を許可されたコンテンツ受信装置か否かを判定するコンテンツ受信装置認証手段と、コンテンツの送信にあたり、コンテンツ受信装置から情報を受信し、該情報及び当該送信側記憶手段に記憶された情報と基づいて、当該コンテンツ受信装置を介してコンテンツを受信するコンテンツ受信者が、コンテンツの受信を許可されたコンテンツ受信者か否かを判定するコンテンツ受信者認証手段とを有し、前記コンテンツ受信装置は、コンテンツの受信にあたり、相手が許可された相手であるか否かを判定するための情報を記憶する受信側記憶手段と、コンテンツの受信にあたり、コンテンツ送信装置から情報を受信し、該情報及び当該受信側記憶手段に記憶された情報に基づいて、当該コンテンツ送信装置が、コンテンツの送信を許可されたコンテンツ送信装置か否かを判定するコンテンツ送信装置認証手段と、コンテンツの受信にあたり、コンテンツ送信装置から情報を受信し、該情報及び当該受信側記憶手段に記憶された情報に基づいて、当該コンテンツ送信装置を介してコンテンツを送信するコンテンツ送信者が、コンテンツの送信を許可されたコンテンツ送信者か否かを判定するコンテンツ送信者認証手段とを有することを特徴とする。
【００１６】
例えば、前記コンテンツ受信装置認証手段、前記コンテンツ送信装置認証手段、前記コンテンツ受信者認証手段、前記コンテンツ送信者認証手段のいずれかは、受信した情報および該情報の比較対象である情報が互いに一致したなら、相手は許可された相手であるとの判定結果を得る。
【００１７】
例えば、前記比較対象の情報は、相手を示すＩＤおよびパスワードである。
【００１８】
例えば、前記コンテンツ受信者認証手段、前記コンテンツ送信者認証手段のいずれかは、受信した情報および該情報の比較対象である情報が互いに一致したなら、相手は許可された相手であるとの判定結果を得るものであり、前記比較対象の情報は、相手の生体的特徴を示す生体情報である。
【００１９】
例えば、前記コンテンツ受信装置認証手段、前記コンテンツ送信装置認証手段、前記コンテンツ受信者認証手段、前記コンテンツ送信者認証手段のいずれかは、所定の原文メッセージを相手の公開鍵で暗号化して認証用メッセージを生成し相手の装置に送信し、当該認証用メッセージが相手の秘密鍵で復号化されて生成された解読メッセージを相手の装置から受信し、当該解読メッセージと前記原文メッセージが互いに一致したなら、相手は許可された相手であるとの判定結果を得る。
【００２０】
第２の本発明は、コンテンツを送信するコンテンツ送信装置と、コンテンツを受信するコンテンツ受信装置とを含むコンテンツ送受信システムにおける認証方法であって、前記コンテンツ送信装置は、コンテンツの送信にあたり、相手が許可された相手であるか否かを判定するための情報を記憶する送信側記憶手段を有し、前記コンテンツ受信装置は、コンテンツの受信にあたり、相手が許可された相手であるか否かを判定するための情報を記憶する受信側記憶手段を有し、前記認証方法は、前記コンテンツ送信装置のコンテンツ受信装置認証手段が、コンテンツの送信にあたり、コンテンツ受信装置から情報を受信し、該情報及び当該送信側記憶手段に記憶された情報に基づいて、当該コンテンツ受信装置が、コンテンツの受信を許可されたコンテンツ受信装置か否かを判定するステップと、前記コンテンツ送信装置のコンテンツ受信者認証手段が、コンテンツの送信にあたり、コンテンツ受信装置から情報を受信し、該情報及び当該送信側記憶手段に記憶された情報と基づいて、当該コンテンツ受信装置を介してコンテンツを受信するコンテンツ受信者が、コンテンツの受信を許可されたコンテンツ受信者か否かを判定するステップと、前記コンテンツ受信装置のコンテンツ送信装置認証手段が、コンテンツの受信にあたり、コンテンツ送信装置から情報を受信し、該情報及び当該受信側記憶手段に記憶された情報に基づいて、当該コンテンツ送信装置が、コンテンツの送信を許可されたコンテンツ送信装置か否かを判定するステップと、前記コンテンツ受信装置のコンテンツ送信者認証手段が、コンテンツの受信にあたり、コンテンツ送信装置から情報を受信し、該情報及び当該受信側記憶手段に記憶された情報に基づいて、当該コンテンツ送信装置を介してコンテンツを送信するコンテンツ送信者が、コンテンツの送信を許可されたコンテンツ送信者か否かを判定するステップとを有することを特徴とする。
【００２１】
例えば、前記コンテンツ受信装置認証手段、前記コンテンツ送信装置認証手段、前記コンテンツ受信者認証手段、前記コンテンツ送信者認証手段のいずれかは、受信した情報および該情報の比較対象である情報が互いに一致したなら、相手は許可された相手であるとの判定結果を得る。
【００２２】
例えば、前記コンテンツ受信装置認証手段、前記コンテンツ送信装置認証手段、前記コンテンツ受信者認証手段、前記コンテンツ送信者認証手段のいずれかは、所定の原文メッセージを相手の公開鍵で暗号化して認証用メッセージを生成し相手の装置に送信し、当該認証用メッセージが相手の秘密鍵で復号化されて生成された解読メッセージを相手の装置から受信し、当該解読メッセージと前記原文メッセージが互いに一致したなら、相手は許可された相手であるとの判定結果を得る。
【発明の効果】
【００２３】
本発明によれば、許可されていない相手の装置および人との間でのコンテンツの送受信を防止することができる。
【図面の簡単な説明】
【００２４】
【図１】本実施の形態に係るコンテンツ送受信システムの構成図である。
【図２】コンテンツ送信装置１およびコンテンツ受信装置２の具体例に係るブロック図である。
【図３】本実施の形態に係る認証の態様をまとめた表である。
【図４】送信装置管理部１１１の構成を例示した図である。
【図５】受信装置管理部１１２の構成を例示した図である。
【図６】送信者管理部１１３の構成を例示した図である。
【図７】受信者管理部１１４の構成を例示した図である。
【図８】受信装置管理部２１１の構成を例示した図である。
【図９】送信装置管理部２１２の構成を例示した図である。
【図１０】受信者管理部２１３の構成を例示した図である。
【図１１】送信者管理部２１４の構成を例示した図である。
【図１２】本実施の形態に係る概略の動作シーケンス例を示す図である。
【図１３】本実施の形態に係る別な概略の動作シーケンス例を示す図である。
【図１４】送受信装置認証に係る動作シーケンス例を示す図である。
【図１５】送受信者認証に係る動作シーケンス例を示す図である。
【図１６】ＩＤ／パスワードで行う送受信装置認証に係る動作シーケンス例を示す図である。
【図１７】公開鍵で行う送受信装置認証に係る動作シーケンス例を示す図である。
【図１８】ＩＤ／パスワードで行う送受信者認証に係る動作シーケンス例を示す図である。
【図１９】公開鍵で行う送受信者認証に係る動作シーケンス例を示す図である。
【図２０】生体情報を用いて行う送受信者認証に係る動作シーケンス例を示す図である。
【図２１】コンテンツ送信装置１における受信装置認証に係る動作フローチャート例を示す図である。
【図２２】コンテンツ受信装置２における受信装置認証に係る動作フローチャート例を示す図である。
【図２３】コンテンツ受信装置２における送信装置認証に係る動作フローチャート例を示す図である。
【図２４】コンテンツ送信装置１における送信装置認証に係る動作フローチャート例を示す図である。
【図２５】コンテンツ送信装置１における受信者認証に係る動作フローチャート例を示す図である。
【図２６】コンテンツ受信装置２における受信者認証に係る動作フローチャート例を示す図である。
【図２７】コンテンツ受信装置２における送信者認証に係る動作フローチャート例を示す図である。
【図２８】コンテンツ送信装置１における送信者認証に係る動作フローチャート例を示す図である。
【図２９】従来のコンテンツ送受信システムにおける概略の動作シーケンス例を示す図である。
【発明を実施するための形態】
【００２５】
以下、本発明の実施の形態について図面を参照して説明する。
【００２６】
図１は、本実施の形態に係るコンテンツ送受信システムの構成図である。
【００２７】
コンテンツ送受信システムは、文書、写真、データ等のコンテンツを送信するコンテンツ送信装置（適宜、「送信装置」のように略す）１と、コンテンツを受信するコンテンツ受信装置（適宜、「受信装置」のように略す）２と、同様のコンテンツ送信装置およびコンテンツ受信装置（共に図示せず）とを含み、これらは通信ネットワークを介して接続される。各コンテンツ送信装置１、コンテンツ受信装置２には電話番号が割り当てられている。コンテンツ送信装置１は、電話番号によりコンテンツ受信装置２を指定して発呼を行い、これによりＴＣＰセッションが確立し、このＴＣＰセッションを用いて、コンテンツ受信装置２にコンテンツを送信する。
【００２８】
コンテンツ送信装置１にコンテンツ送信の指示を与える（便宜的に「コンテンツを送信する」という）人をコンテンツ送信者といい、コンテンツ受信装置２を介してコンテンツを受け取る（便宜的に「コンテンツを受信する」という）人をコンテンツ受信者という。また、コンテンツ送信装置１またはコンテンツ送信者にとってのコンテンツ受信装置２またはコンテンツ受信者、若しくは、その逆の対象のことを相手という。
【００２９】
コンテンツ送信装置１は、コンテンツの送信にあたり、相手が許可された相手であるか否かを判定するための情報を記憶する送信側記憶手段１１と、コンテンツの送信にあたり、コンテンツ受信装置から情報を受信し、該情報及び当該送信側記憶手段に記憶された情報に基づいて、当該コンテンツ受信装置が、コンテンツの受信を許可されたコンテンツ受信装置か否かを判定するコンテンツ受信装置認証手段としての機能とコンテンツ送信装置１自身がコンテンツ受信装置２にとってコンテンツの送信を許可されたコンテンツ送信装置であるか否かを判定するための情報送信などを行う機能とを有するコンテンツ送受信装置認証手段１２と、コンテンツの送信にあたり、コンテンツ受信装置から情報を受信し、該情報及び当該送信側記憶手段に記憶された情報と基づいて、当該コンテンツ受信装置を介してコンテンツを受信するコンテンツ受信者が、コンテンツの受信を許可されたコンテンツ受信者か否かを判定するコンテンツ受信者認証手段としての機能とコンテンツ送信者がコンテンツ受信装置２にとってコンテンツの送信を許可されたコンテンツ送信者であるか否かを判定するための情報送信などを行う機能とを有するコンテンツ送受信者認証手段１３とを有する。
【００３０】
コンテンツ受信装置２は、コンテンツの受信にあたり、相手が許可された相手であるか否かを判定するための情報を記憶する受信側記憶手段２１と、コンテンツの受信にあたり、コンテンツ送信装置から情報を受信し、該情報及び当該受信側記憶手段に記憶された情報に基づいて、当該コンテンツ送信装置が、コンテンツの送信を許可されたコンテンツ送信装置か否かを判定するコンテンツ送信装置認証手段としての機能とコンテンツ受信装置２自身がコンテンツ送信装置１にとってコンテンツの受信を許可されたコンテンツ受信装置であるか否かを判定するための情報送信などを行う機能とを有するコンテンツ送受信装置認証手段２２と、コンテンツの受信にあたり、コンテンツ送信装置から情報を受信し、該情報及び当該受信側記憶手段に記憶された情報に基づいて、当該コンテンツ送信装置を介してコンテンツを送信するコンテンツ送信者が、コンテンツの送信を許可されたコンテンツ送信者か否かを判定するコンテンツ送信者認証手段としての機能とコンテンツ受信者がコンテンツ送信装置１にとってコンテンツの受信を許可されたコンテンツ受信者であるか否かを判定するための情報送信などを行う機能とを有するコンテンツ送受信者認証手段２３とを有する。
【００３１】
送信側記憶手段１１は、送信装置管理部１１１、受信装置管理部１１２、送信者管理部１１３、受信者管理部１１４を備える。これらの詳細については後述する。  受信側記憶手段２１は、受信装置管理部２１１、送信装置管理部２１２、受信者管理部２１３、送信者管理部２１４を備える。これらの詳細については後述する。
【００３２】
図２は、コンテンツ送信装置１およびコンテンツ受信装置２の具体例に係るブロック図である。
【００３３】
具体例に係る装置は、例えば、コンテンツのファイルが記憶されるハードディスク装置（ＨＤＤ）Ａ１、オペレーティングシステム（ＯＳ）Ａ２、メモリＡ３およびデジタルコンテンツ送受アプリケーションＡ４を備える。
【００３４】
デジタルコンテンツ送受アプリケーションＡ４は、グラフィックユーザインタフェース（ＧＵＩ）４１、送信サービス機能４２、受信サービス機能４３、ファイル管理機能４４、ＨＴＴＰ（ＳＯＡＰ）プロトコル４５、通信機能（コンテンツ転送プロトコル）４６を備える。通信機能４６は、上記のコンテンツ送受信装置認証手段１２、２２を含む送受信装置認証機能４６１、上記のコンテンツ送受信者認証手段１３、２３を含む送受信者認証機能４６２を備える。
【００３５】
図３は、本実施の形態に係る認証の態様をまとめた表である。
【００３６】
本実施の形態では、個人の認証をする場合と、装置の認証をする場合と、認証をしない場合とがある。
【００３７】
個人の認証には、受信側から送信側を認証する送信者認証と、送信側から受信側を認証する受信者認証とがある。各送信者認証、受信者認証には、生体を利用したもの、公開鍵を利用したもの、識別情報（ＩＤ）とパスワードを利用したものがある。
【００３８】
装置の認証には、受信側から送信側を認証する送信装置認証と、送信側から受信側を認証する受信装置認証とがある。各送信装置認証、公開鍵を利用したもの、識別情報（ＩＤ）とパスワードを利用したもの、発ＩＤを利用したものがある。受信装置認証には、公開鍵を利用したもの、識別情報（ＩＤ）とパスワードを利用したものがある。
【００３９】
図４は、送信装置管理部１１１の構成を例示した図である。
【００４０】
送信装置管理部１１１は、該送信装置管理部１１１を含むコンテンツ送信装置１を示す識別情報（以下、「送信装置ＩＤ」という）およびパスワード（以下、「送信装置パスワード」という）、コンテンツ送信装置１の公開鍵（以下、「送信装置公開鍵」という）および秘密鍵（「送信装置秘密鍵」という）を記憶している。
【００４１】
図５は、受信装置管理部１１２の構成を例示した図である。
【００４２】
受信装置管理部１１２は、複数のコンテンツ受信装置のそれぞれについての受信装置情報を記憶している。
【００４３】
各受信装置情報は、該当のコンテンツ受信装置の電話番号、当該コンテンツ受信装置がコンテンツの受信を許可されたコンテンツ受信装置か否かを示す情報（以下、「受信装置属性情報」という）を記憶している。
【００４４】
各受信装置情報は、（１）当該コンテンツ受信装置を示す識別情報（以下、「受信装置ＩＤ」という）およびパスワード（以下、「受信装置パスワード」という）、（２）当該コンテンツ受信装置の公開鍵（以下、「受信装置公開鍵」という）という２つの情報の少なくとも１つを記憶している。
【００４５】
図６は、送信者管理部１１３の構成を例示した図である。
【００４６】
送信者管理部１１３は、該送信者管理部１１３を含むコンテンツ送信装置１に指示を与える複数のコンテンツ送信者のそれぞれについての送信者情報を記憶している。
【００４７】
各送信者情報は、該当のコンテンツ送信者の送信者名を記憶している。
【００４８】
各送信者情報は、（１）当該コンテンツ送信者を示す識別情報（以下、「送信者ＩＤ」という）およびパスワード（以下、「送信者パスワード」という）、（２）当該コンテンツ送信者の公開鍵（以下、「送信者公開鍵」という）および秘密鍵（以下、「送信者秘密鍵」という）という２つの情報の少なくとも１つを記憶している。
【００４９】
図７は、受信者管理部１１４の構成を例示した図である。
【００５０】
受信者管理部１１４は、コンテンツ受信装置２を介してコンテンツを受信する複数のコンテンツ受信者のそれぞれについての受信者情報を記憶している。
【００５１】
各受信者情報は、該当のコンテンツ受信者の受信者名、当該コンテンツ受信者がコンテンツの受信を許可されたコンテンツ受信者か否かを示す情報（以下、「受信者属性情報」という）を記憶している。
【００５２】
各受信者情報は、（１）当該コンテンツ受信者を示す識別情報（以下、「受信者ＩＤ」という）およびパスワード（以下、「受信者パスワード」という）、（２）当該コンテンツ受信者の公開鍵（以下、「受信者公開鍵」という）および秘密鍵（以下、「受信者秘密鍵」という）、（３）当該コンテンツ受信者の生体的特徴を示す生体情報（以下、「受信者生体情報」という）という３つの情報の少なくとも１つを記憶している。受信者生体情報は、指紋などである。
【００５３】
図８は、受信装置管理部２１１の構成を例示した図である。
【００５４】
受信装置管理部２１１は、該受信装置管理部２１１を含むコンテンツ受信装置２を示す識別情報（「受信装置ＩＤ」）およびパスワード（「受信装置パスワード」）、当該コンテンツ受信装置２の公開鍵（「受信装置公開鍵」）および秘密鍵（「受信装置秘密鍵」という）を記憶している。
【００５５】
図９は、送信装置管理部２１２の構成を例示した図である。
【００５６】
送信装置管理部２１２は、複数のコンテンツ送信装置のそれぞれについての送信装置情報を記憶している。
【００５７】
各送信装置情報は、該当のコンテンツ送信装置の電話番号、当該コンテンツ送信装置がコンテンツの送信を許可されたコンテンツ送信装置か否かを示す情報（以下、「送信装置属性情報」という）を記憶している。
【００５８】
各送信装置情報は、（１）当該コンテンツ送信装置を示す識別情報（「送信装置ＩＤ」）およびパスワード（「送信装置パスワード」）、（２）当該コンテンツ送信装置の公開鍵（「送信装置公開鍵」）という２つの情報の少なくとも１つを記憶している。
【００５９】
図１０は、受信者管理部２１３の構成を例示した図である。
【００６０】
受信者管理部２１３は、該受信者管理部２１３を含むコンテンツ受信装置２を介してコンテンツを受信する複数のコンテンツ受信者のそれぞれについての受信者情報を記憶している。
【００６１】
各受信者情報は、該当のコンテンツ受信者の受信者名を記憶している。
【００６２】
各受信者情報は、（１）当該コンテンツ受信者を示す識別情報（「受信者ＩＤ」）およびパスワード（「受信者パスワード」）、（２）当該コンテンツ受信者の公開鍵（「受信者公開鍵」）および秘密鍵（「受信者秘密鍵」）という２つの情報の少なくとも１つを記憶している。
【００６３】
図１１は、送信者管理部２１４の構成を例示した図である。
【００６４】
送信者管理部２１４は、コンテンツ送信装置１に指示を与える複数のコンテンツ送信者のそれぞれについての送信者情報を記憶している。
【００６５】
各送信者情報は、該当のコンテンツ送信者の送信者名、当該コンテンツ送信者がコンテンツの送信を許可されたコンテンツ送信者か否かを示す情報（以下、「送信者属性情報」という）を記憶している。
【００６６】
各送信者情報は、（１）当該コンテンツ送信者を示す識別情報（「送信者ＩＤ」）およびパスワード（「送信者パスワード」）、（２）当該コンテンツ送信者の公開鍵（「送信者公開鍵」）および秘密鍵（「送信者秘密鍵」）、（３）当該コンテンツ送信者の生体的特徴を示す生体情報（以下、「送信者生体情報」という）という３つの情報の少なくとも１つを記憶している。送信者生体情報は、指紋などである。
【００６７】
（本実施の形態の動作）
図１２は、本実施の形態に係る概略の動作シーケンス例を示す図である。
【００６８】
コンテンツ送信装置１において、コンテンツが選択され、ダイヤルおよび送信の指示がなされると、コンテンツ送信装置１は、コンテンツ受信装置２に対し、ＳＩＰによる発呼を行う。コンテンツ受信装置２は、ＳＩＰによる応答を行う。ＴＣＰセッションが確立すると、コンテンツ送信装置１は、受信側能力通知要求をコンテンツ受信装置２に送信する（Ｓ１）。コンテンツ受信装置２は、受信側能力通知応答をコンテンツ送信装置１に送信する（Ｓ３）。
【００６９】
受信側能力通知要求では、受信装置の能力の通知が必要であること、受信装置の認証が必要であること（受信装置認証要）、受信者の認証が必要であること（受信者認証要）が通知される。
【００７０】
受信側能力通知応答では、受信装置の能力、送信装置の認証が必要であること（送信装置認証要）、送信者の認証が必要であること（送信者認証要）が通知される。
【００７１】
コンテンツ送信装置１は、受信装置の能力が十分か否かを確認する。
【００７２】
次に、送受信装置認証（Ｓ５）と送受信者認証（Ｓ７）が行われる。これらの順序は不問であり、詳細は後述する。
【００７３】
コンテンツ送信装置１において能力が十分であることと認証が成功したことつまり相手は受信を許可された相手であることとが確認され（Ｓ１１）、且つ、コンテンツ受信装置２において認証が成功したことつまり相手は送信を許可された相手であることとが確認された（Ｓ１３）なら、コンテンツ送信装置１、コンテンツ受信装置２は、コンテンツを送受信する（Ｓ１５）。
【００７４】
具体的には、コンテンツ送信装置１は、コンテンツのファイル名、ＭＩＭＥ−Ｔｙｐｅを通知し、受信開始を受信したなら、コンテンツを例えば、複数回に分けて、コンテンツ受信装置２に送信する。コンテンツ送信装置１は、例えば、コンテンツをＨＴＴＰ（hypertext transfer protocol）を使用して送信する。コンテンツ受信装置２が、送信完了応答を送信したなら、一連の処理が終わる。
【００７５】
図１３は、本実施の形態に係る別な概略の動作シーケンス例を示す図である。
【００７６】
コンテンツ送信装置１において、コンテンツが選択され、ダイヤルおよび送信の指示がなされると、コンテンツ送信装置１は、コンテンツ受信装置２に対し、ＳＩＰによる発呼を行う。この際、コンテンツ受信装置２には、コンテンツ送信装置１の電話番号（いわゆる発ＩＤ）が通知される。
【００７７】
コンテンツ送受信装置認証手段２２は、この電話番号を含む送信装置情報が送信装置管理部２１２に記憶され、且つ、この送信装置情報内の送信装置属性情報が「許可（コンテンツの送信が許可されていること）」を示しているか否かを判定する（Ｓ２１）。
【００７８】
コンテンツ受信装置２は、そうであるならつまり認証が成功した（Ｓ２３）なら、ＳＩＰによる応答を行う。ＴＣＰセッションが確立すると、コンテンツ送信装置１は、受信側能力通知要求をコンテンツ受信装置２に送信する。コンテンツ受信装置２は、受信側能力通知応答をコンテンツ送信装置１に送信する。
【００７９】
コンテンツ送信装置１において能力が十分であることが確認され（Ｓ２５）なら、コンテンツ送信装置１、コンテンツ受信装置２は、コンテンツを送受信する（Ｓ１５）。コンテンツ送受信の詳細は、図１２を参照して説明したものと同様であり、ここでの説明は省略する。
【００８０】
図１４は、送受信装置認証に係る動作シーケンス例を示す図である。
【００８１】
上記説明と同様に、コンテンツ送信装置１は、受信側能力通知要求をコンテンツ受信装置２に送信する（Ｓ１）。コンテンツ受信装置２は、受信側能力通知応答をコンテンツ送信装置１に送信する（Ｓ３）。コンテンツ送信装置１は、受信装置の能力が十分か否かを確認する。
【００８２】
続く送受信装置認証（Ｓ５）では、まず、コンテンツ送信装置１は、受信装置認証方法通知にて、受信装置の認証をＩＤ／パスワードで行うか、公開鍵で行うかをコンテンツ受信装置２に通知する（Ｓ３１）。
【００８３】
これに対し、コンテンツ受信装置２は、受信装置認証情報応答にて、方法に応じた情報をコンテンツ送信装置１に送信する（Ｓ３３）。
【００８４】
コンテンツ送信装置１は、その情報を用いて認証を行い（Ｓ３５）、受信装置認証結果通知にて、その結果をコンテンツ受信装置２に通知する（Ｓ３７）。
【００８５】
また、コンテンツ受信装置２は、送信装置認証方法通知にて、送信装置の認証をＩＤ／パスワードで行うか、公開鍵で行うかをコンテンツ送信装置１に通知する（Ｓ４１）。
【００８６】
これに対し、コンテンツ送信装置１は、送信装置認証情報応答にて、方法に応じた情報をコンテンツ受信装置２に送信する（Ｓ４３）。
【００８７】
コンテンツ受信装置２は、その情報を用いて認証を行い（Ｓ４５）、送信装置認証結果通知にて、その結果をコンテンツ送信装置１に通知する（Ｓ４７）。
【００８８】
かかる送受信装置認証（Ｓ５）とともに、送受信者認証（Ｓ７）も行われる。
【００８９】
図１５は、送受信者認証に係る動作シーケンス例を示す図である。
【００９０】
上記説明と同様に、コンテンツ送信装置１は、受信側能力通知要求をコンテンツ受信装置２に送信する（Ｓ１）。コンテンツ受信装置２は、受信側能力通知応答をコンテンツ送信装置１に送信する（Ｓ３）。コンテンツ送信装置１は、受信装置の能力が十分か否かを確認する。
【００９１】
そして、例えば、送受信装置認証（Ｓ５）の後に、送受信者認証（Ｓ７）が行われる。
【００９２】
コンテンツ送信装置１は、受信者認証方法通知にて、受信者の認証を生体を用いて行うか、ＩＤ／パスワードで行うか、公開鍵で行うかをコンテンツ受信装置２に通知する（Ｓ５１）。
【００９３】
これに対し、コンテンツ受信装置２は、受信者認証情報応答にて、方法に応じた情報をコンテンツ送信装置１に送信する（Ｓ５３）。
【００９４】
コンテンツ送信装置１は、その情報を用いて認証を行い（Ｓ５５）、受信者認証結果通知にて、その結果をコンテンツ受信装置２に通知する（Ｓ５７）。
【００９５】
また、コンテンツ受信装置２は、送信者認証方法通知にて、送信者の認証を生体を用いて行うか、ＩＤ／パスワードで行うか、公開鍵で行うかをコンテンツ送信装置１に通知する（Ｓ６１）。
【００９６】
これに対し、コンテンツ送信装置１は、送信者認証情報応答にて、方法に応じた情報をコンテンツ受信装置２に送信する（Ｓ６３）。
【００９７】
コンテンツ受信装置２は、その情報を用いて認証を行い（Ｓ６５）、送信者認証結果通知にて、その結果をコンテンツ送信装置１に通知する（Ｓ６７）。
【００９８】
図１６は、ＩＤ／パスワードで行う送受信装置認証に係る動作シーケンス例を示す図である。
【００９９】
コンテンツ送信装置１では、コンテンツ送受信装置認証手段１２により、受信装置認証方法通知にて、ＩＤ／パスワードの入力をコンテンツ受信装置２に要求する（Ｓ８１）。
【０１００】
これに対し、コンテンツ受信装置２ではは、コンテンツ送受信装置認証手段２２により、受信装置管理部２１１に記憶されている受信装置ＩＤおよび受信装置パスワードを読み出し、受信装置認証情報応答にて、コンテンツ送信装置１に送信する（Ｓ８３）。
【０１０１】
コンテンツ送信装置１のコンテンツ送受信装置認証手段１２は、受信装置ＩＤおよび受信装置パスワードを含む受信装置情報が受信装置管理部１１２に記憶され、且つ、この受信装置情報内の受信装置属性情報が「許可（コンテンツの受信が許可されていること）」を示しているか否かを判定する（Ｓ８５）。かかる条件が満たされれば、認証が成功したこととなる。
【０１０２】
コンテンツ送信装置１は、受信装置認証結果通知にて、認証の結果をコンテンツ受信装置２に通知する（Ｓ８７）。
【０１０３】
また、コンテンツ受信装置２は、コンテンツ送受信装置認証手段２２により、送信装置認証方法通知にて、ＩＤ／パスワードの入力をコンテンツ送信装置１に要求する（Ｓ９１）。
【０１０４】
これに対し、コンテンツ送信装置１は、コンテンツ送受信装置認証手段１２により、送信装置管理部１１１に記憶されている送信装置ＩＤおよび送信装置パスワードを読み出し、送信装置認証情報応答にて、コンテンツ受信装置２に送信する（Ｓ９３）。
【０１０５】
コンテンツ受信装置２のコンテンツ送受信装置認証手段２２は、送信装置ＩＤおよび送信装置パスワードを含む送信装置情報が送信装置管理部２１２に記憶され、且つ、この送信装置情報内の送信装置属性情報が「許可（コンテンツの送信が許可されていること）」を示しているか否かを判定する（Ｓ９５）。かかる条件が満たされれば、認証が成功したこととなる。
【０１０６】
コンテンツ受信装置２は、送信装置認証結果通知にて、認証の結果をコンテンツ送信装置１に通知する（Ｓ９７）。
【０１０７】
図１７は、公開鍵で行う送受信装置認証に係る動作シーケンス例を示す図である。
【０１０８】
コンテンツ送信装置１は、コンテンツ送受信装置認証手段１２により、受信装置認証方法通知にて、受信装置認証を公開鍵で行うことをコンテンツ受信装置２に通知する（Ｓ１０１）。
【０１０９】
次に、コンテンツ送信装置１のコンテンツ送受信装置認証手段１２が、受信装置管理部１１２から、コンテンツ受信装置２の電話番号を含む受信装置情報を検索し、この受信装置情報内の公開鍵を取り出し、所定の原文メッセージを当該公開鍵で暗号化して認証用メッセージを生成しコンテンツ受信装置２に送信する（Ｓ１０３）。
【０１１０】
これに対し、コンテンツ受信装置２は、コンテンツ送受信装置認証手段２２により、受信装置管理部２１１から秘密鍵を取り出し、当該秘密鍵で当該認証用メッセージを復号化して解読メッセージを生成し、解読メッセージをコンテンツ送信装置１に送信する（Ｓ１０５）。
【０１１１】
コンテンツ送受信装置認証手段１２は、解読メッセージと原文メッセージが互いに一致し、且つ、検索した受信装置情報内の受信装置属性情報が「許可（コンテンツの受信が許可されていること）」を示しているか否かを判定する（Ｓ１０７）。かかる条件が満たされれば、認証が成功したこととなる。
【０１１２】
コンテンツ送信装置１は、受信装置認証結果通知にて、認証の結果をコンテンツ受信装置２に通知する（Ｓ１０９）。
【０１１３】
また、コンテンツ受信装置２は、コンテンツ送受信装置認証手段２２により、送信装置認証方法通知にて、送信装置認証を公開鍵で行うことをコンテンツ送信装置１に通知する（Ｓ１１１）。
【０１１４】
次に、コンテンツ受信装置２のコンテンツ送受信装置認証手段２２が、送信装置管理部２１２から、コンテンツ送信装置１の電話番号を含む送信装置情報を検索し、この送信装置情報内の公開鍵を取り出し、所定の原文メッセージを当該公開鍵で暗号化して認証用メッセージを生成しコンテンツ送信装置１に送信する（Ｓ１１３）。
【０１１５】
これに対し、コンテンツ送信装置１は、コンテンツ送受信装置認証手段１２により、送信装置管理部１１１から秘密鍵を取り出し、当該秘密鍵で当該認証用メッセージを復号化して解読メッセージを生成し、解読メッセージをコンテンツ受信装置２に送信する（Ｓ１１５）。
【０１１６】
コンテンツ送受信装置認証手段２２は、解読メッセージと原文メッセージが互いに一致し、且つ、検索した送信装置情報内の送信装置属性情報が「許可（コンテンツの送信が許可されていること）」を示しているか否かを判定する（Ｓ１１７）。かかる条件が満たされれば、認証が成功したこととなる。
【０１１７】
コンテンツ受信装置２は、送信装置認証結果通知にて、認証の結果をコンテンツ送信装置１に通知する（Ｓ１１９）。
【０１１８】
図１８は、ＩＤ／パスワードで行う送受信者認証に係る動作シーケンス例を示す図である。
【０１１９】
コンテンツ送信装置１は、コンテンツ送受信者認証手段１３により、受信者認証方法通知にて、ＩＤ／パスワードの入力をコンテンツ受信装置２に要求する（Ｓ１２１）。
【０１２０】
これに対し、コンテンツ受信装置２は、コンテンツ送受信者認証手段２３により、受信者管理部２１３における該当のコンテンツ受信者（コンテンツを受信しようとする人）についての受信者情報を検索し、この受信者情報内の受信者ＩＤおよび受信者パスワードを、受信者認証情報応答にて、コンテンツ送信装置１に送信する（Ｓ１２３）。または、コンテンツ受信装置２は、コンテンツ送受信者認証手段２３により、コンテンツ受信者によりキーボードなどで入力された受信者ＩＤおよび受信者パスワードを、受信者認証情報応答にて、コンテンツ送信装置１に送信する（Ｓ１２３）。
【０１２１】
コンテンツ送信装置１のコンテンツ送受信者認証手段１３は、受信者ＩＤおよび受信者パスワードを含む受信者情報が受信者管理部１１４に記憶され、且つ、この受信者情報内の受信者属性情報が「許可（コンテンツの受信が許可されていること）」を示しているか否かを判定する（Ｓ１２５）。かかる条件が満たされれば、認証が成功したこととなる。  コンテンツ送信装置１は、受信者認証結果通知にて、認証の結果をコンテンツ受信装置２に通知する（Ｓ１２７）。
【０１２２】
また、コンテンツ受信装置２は、コンテンツ送受信者認証手段１３により、送信者認証方法通知にて、ＩＤ／パスワードの入力をコンテンツ送信装置１に要求する（Ｓ１３１）。
【０１２３】
これに対し、コンテンツ送信装置１は、コンテンツ送受信者認証手段１３により、送信者管理部１１３における該当のコンテンツ送信者（コンテンツを送信しようとする人）についての送信者情報を検索し、この送信者情報内の送信者ＩＤおよび送信者パスワードを、送信者認証情報応答にて、コンテンツ受信装置２に送信する（Ｓ１３３）。または、コンテンツ送信装置１は、コンテンツ送受信者認証手段１３により、コンテンツ送信者によりキーボードなどで入力された送信者ＩＤおよび送信者パスワードを、送信者認証情報応答にて、送信する（Ｓ１３３）。
【０１２４】
コンテンツ受信装置２のコンテンツ送受信者認証手段２３は、送信者ＩＤおよび送信者パスワードを含む送信装置情報が送信者管理部２１４に記憶され、且つ、この送信装置情報内の送信者属性情報が「許可（コンテンツの送信が許可されていること）」を示しているか否かを判定する（Ｓ１３５）。かかる条件が満たされれば、認証が成功したこととなる。
【０１２５】
コンテンツ受信装置２は、送信者認証結果通知にて、認証の結果をコンテンツ送信装置１に通知する（Ｓ１３７）。
【０１２６】
図１９は、公開鍵で行う送受信者認証に係る動作シーケンス例を示す図である。
【０１２７】
コンテンツ送信装置１は、コンテンツ送受信者認証手段１３により、受信者認証方法通知にて、受信者認証を公開鍵で行うことをコンテンツ受信装置２に通知する（Ｓ１４１）。
【０１２８】
次に、コンテンツ送信装置１のコンテンツ送受信者認証手段１３が、受信者管理部１１４から、コンテンツを受信しようとする人の受信者情報を検索し、この受信者情報内の公開鍵を取り出し、所定の原文メッセージを当該公開鍵で暗号化して認証用メッセージを生成しコンテンツ受信装置２に送信する（Ｓ１４３）。
【０１２９】
これに対し、コンテンツ受信装置２は、コンテンツ送受信者認証手段２３により、受信者管理部２１３から、コンテンツを受信しようとする人の受信者情報を検索し、この受信者情報内の秘密鍵を取り出し、当該秘密鍵で当該認証用メッセージを復号化して解読メッセージを生成し、解読メッセージをコンテンツ送信装置１に送信する（Ｓ１４５）。
【０１３０】
コンテンツ送受信者認証手段１３は、解読メッセージと原文メッセージが互いに一致し、且つ、検索した受信者情報内の受信者属性情報が「許可（コンテンツの受信が許可されていること）」を示しているか否かを判定する。かかる条件が満たされれば、認証が成功したこととなる。
【０１３１】
コンテンツ送信装置１は、受信者認証結果通知にて、認証の結果をコンテンツ受信装置２に通知する（Ｓ１４９）。
【０１３２】
また、コンテンツ受信装置２は、コンテンツ送受信者認証手段２３により、送信者認証方法通知にて、送信者認証を公開鍵で行うことをコンテンツ送信装置１に通知する（Ｓ１５１）。
【０１３３】
次に、コンテンツ受信装置２のコンテンツ送受信者認証手段２３が、送信者管理部２１４から、コンテンツを送信しようとする人の送信者情報を検索し、この送信者情報内の公開鍵を取り出し、所定の原文メッセージを当該公開鍵で暗号化して認証用メッセージを生成しコンテンツ送信装置１に送信する（Ｓ１５３）。
【０１３４】
これに対し、コンテンツ送信装置１は、コンテンツ送受信者認証手段１３により、送信者管理部１１３から、コンテンツを送信しようとする人の送信者情報を検索し、この送信者情報内の秘密鍵を取り出し、当該秘密鍵で当該認証用メッセージを復号化して解読メッセージを生成し、解読メッセージをコンテンツ受信装置２に送信する（Ｓ１５５）。
【０１３５】
コンテンツ送受信者認証手段２３は、解読メッセージと原文メッセージが互いに一致し、且つ、検索した送信者情報内の送信者属性情報が「許可（コンテンツの送信が許可されていること）」を示しているか否かを判定する（Ｓ１５７）。かかる条件が満たされれば、認証が成功したこととなる。
【０１３６】
コンテンツ受信装置２は、送信者認証結果通知にて、認証の結果をコンテンツ送信装置１に通知する（Ｓ１５９）。
【０１３７】
図２０は、生体情報を用いて行う送受信者認証に係る動作シーケンス例を示す図である。
【０１３８】
コンテンツ送信装置１は、コンテンツ送受信者認証手段１３により、受信者認証方法通知にて、生体情報の入力をコンテンツ受信装置２に要求する（Ｓ１６１）。
【０１３９】
これに対し、コンテンツ受信装置２は、コンテンツ送受信者認証手段２３により、コンテンツを受信しようとする人の受信者生体情報（指紋など）を読み取り装置などから入力し、受信者認証情報応答にて、受信者生体情報をコンテンツ送信装置１に送信する（Ｓ１６３）。
【０１４０】
コンテンツ送信装置１のコンテンツ送受信者認証手段１３は、受信者生体情報を含む受信者情報が受信者管理部１１４に記憶され、且つ、この受信者情報内の受信者属性情報が「許可（コンテンツの受信が許可されていること）」を示しているか否かを判定する（Ｓ１６５）。かかる条件が満たされれば、認証が成功したこととなる。
【０１４１】
コンテンツ送信装置１は、受信者認証結果通知にて、認証の結果をコンテンツ受信装置２に通知する（Ｓ１６７）。
【０１４２】
また、コンテンツ受信装置２は、コンテンツ送受信者認証手段２３により、送信者認証方法通知にて、生体情報の入力をコンテンツ送信装置１に要求する（Ｓ１７１）。
【０１４３】
これに対し、コンテンツ送信装置１は、コンテンツ送受信者認証手段１３により、コンテンツを送信しようとする人の送信者生体情報（指紋など）を読み取り装置などから入力し、送信者認証情報応答にて、送信者生体情報をコンテンツ受信装置２に送信する。
【０１４４】
コンテンツ受信装置２のコンテンツ送受信者認証手段２３は、送信者生体情報を含む送信者情報が送信者管理部２１４に記憶され、且つ、この送信者情報内の送信者属性情報が「許可（コンテンツの送信が許可されていること）」を示しているか否かを判定する（Ｓ１７５）。かかる条件が満たされれば、認証が成功したこととなる。
【０１４５】
コンテンツ受信装置２は、送信者認証結果通知にて、認証の結果をコンテンツ送信装置１に通知する（Ｓ１７７）。
【０１４６】
図２１は、コンテンツ送信装置１における受信装置認証に係る動作フローチャート例を示す図である。
【０１４７】
ＴＣＰセッションが確立し、受信側能力通知が行われると、受信装置認証方法に応じて処理が分岐する（Ｓ１８１）。
【０１４８】
コンテンツ送信装置１は、受信装置の認証が不要なら、次の動作（例えば、送信装置認証や送信者認証における情報送信、受信者認証、コンテンツの送信など）を行う（Ｓ１８３）。
【０１４９】
一方、受信装置認証をＩＤ／パスワードで行うのなら、まず、コンテンツ送信装置１は、コンテンツ送受信装置認証手段１２により、ＩＤ／パスワードの入力をコンテンツ受信装置２に要求する（Ｓ１８５）。
【０１５０】
次に、コンテンツ送信装置１は、コンテンツ受信装置２から受信装置ＩＤおよび受信装置パスワードを受信する（Ｓ１８７）。
【０１５１】
コンテンツ送受信装置認証手段１２は、受信装置ＩＤおよび受信装置パスワードを含む受信装置情報が受信装置管理部１１２に記憶され、且つ、この受信装置情報内の受信装置属性情報が「許可（コンテンツの受信が許可されていること）」を示しているか否かを判定する（Ｓ１８９）。
【０１５２】
コンテンツ送信装置１は、かかる条件が満たされたなら、次の動作を行い（Ｓ１８３）、一方、条件が満たされないなら、コンテンツの送信を中止する（Ｓ１９１）。
【０１５３】
一方、受信装置認証を公開鍵で行うのなら、まず、コンテンツ送信装置１は、コンテンツ送受信装置認証手段１２により、受信装置認証を公開鍵で行うことをコンテンツ受信装置２に通知する（Ｓ１９３）。
【０１５４】
次に、コンテンツ送信装置１のコンテンツ送受信装置認証手段１２が、受信装置管理部１１２から、コンテンツ受信装置２の電話番号を含む受信装置情報を検索し、この受信装置情報内の公開鍵を取り出し、所定の原文メッセージを当該公開鍵で暗号化して認証用メッセージを生成しコンテンツ受信装置２に送信する（Ｓ１９５）。
【０１５５】
次に、コンテンツ送信装置１は、コンテンツ受信装置２から解読メッセージを受信する（Ｓ１９７）。
【０１５６】
次に、コンテンツ送受信装置認証手段１２は、解読メッセージと原文メッセージが互いに一致し、且つ、検索した受信装置情報内の受信装置属性情報が「許可（コンテンツの受信が許可されていること）」を示しているか否かを判定する（Ｓ１９９）。
【０１５７】
コンテンツ送信装置１は、かかる条件が満たされたなら、次の動作を行い（Ｓ１８３）、一方、条件が満たされないなら、コンテンツの送信を中止する（Ｓ１９１）。
【０１５８】
図２２は、コンテンツ受信装置２における受信装置認証に係る動作フローチャート例を示す図である。
【０１５９】
ＴＣＰセッションが確立し、受信側能力通知が行われると、受信装置認証方法に応じて処理が分岐する（Ｓ２０１）。
【０１６０】
コンテンツ受信装置２は、受信装置の認証が不要なら、次の動作（例えば、送信装置認証や送信者認証、受信者認証における情報送信、コンテンツの受信など）を行う（Ｓ２０３）。
【０１６１】
一方、受信装置認証をＩＤ／パスワードで行うのなら、まず、コンテンツ受信装置２は、コンテンツ送受信装置認証手段２２により、受信装置管理部２１１に記憶されている受信装置ＩＤおよび受信装置パスワードを読み出し、コンテンツ送信装置１に送信する（Ｓ２０５）。
【０１６２】
次に、コンテンツ受信装置２は、コンテンツ送信装置１から、受信装置認証結果通知を受信し（Ｓ２０７）、受信装置認証結果通知において認証が成功しているか否かを判定する（Ｓ２０９）。
【０１６３】
コンテンツ受信装置２は、認証が成功していたなら、次の動作を行い（Ｓ２０３）、一方、認証が失敗していたなら、コンテンツの受信を中止する（Ｓ２１１）。
【０１６４】
一方、受信装置認証を公開鍵で行うのなら、まず、コンテンツ受信装置２は、コンテンツ送信装置１から認証用メッセージを受信する（Ｓ２１３）。
【０１６５】
次に、コンテンツ受信装置２は、コンテンツ送受信者認証手段２３により、受信装置管理部２１１から秘密鍵を取り出し、当該秘密鍵で当該認証用メッセージを復号化して解読メッセージを生成し、解読メッセージをコンテンツ送信装置１に送信する（Ｓ２１５）。  次に、コンテンツ受信装置２は、コンテンツ送信装置１から、受信装置認証結果通知を受信し（Ｓ２０７）、受信装置認証結果通知において認証が成功しているか否かを判定する（Ｓ２０９）。
【０１６６】
コンテンツ受信装置２は、認証が成功していたなら、次の動作を行い（Ｓ２０３）、一方、認証が失敗していたなら、コンテンツの受信を中止する（Ｓ２１１）。
【０１６７】
図２３は、コンテンツ受信装置２における送信装置認証に係る動作フローチャート例を示す図である。
【０１６８】
ＴＣＰセッションが確立し、受信側能力通知が行われると、送信装置認証方法に応じて処理が分岐する（Ｓ２２１）。
【０１６９】
コンテンツ受信装置２は、送信装置の認証が不要なら、次の動作（例えば、送信者認証、受信装置認証や受信者認証における情報送信、コンテンツの受信など）を行う（Ｓ２２３）。
【０１７０】
一方、送信装置認証を電話番号（発ＩＤ）で行うのなら、コンテンツ受信装置２は、コンテンツ送受信装置認証手段２２により、まず、ＳＩＰによる発呼の際に通知された発ＩＤを取得する（Ｓ２２５）。
【０１７１】
次に、コンテンツ送受信装置認証手段２２は、この発ＩＤを含む送信装置情報が送信装置管理部２１２に記憶され、且つ、この送信装置情報内の送信装置属性情報が「許可（コンテンツの送信が許可されていること）」を示しているか否かを判定する（Ｓ２２７）。  コンテンツ受信装置２は、かかる条件が満たされたなら、次の動作を行い（Ｓ２２３）、一方、条件が満たされないなら、コンテンツの受信を中止する（Ｓ２２９）。
【０１７２】
一方、送信装置認証をＩＤ／パスワードで行うのなら、まず、コンテンツ受信装置２は、コンテンツ送受信装置認証手段２２により、ＩＤ／パスワードの入力をコンテンツ送信装置１に要求する（Ｓ２３１）。
【０１７３】
次に、コンテンツ受信装置２は、コンテンツ送信装置１から送信装置ＩＤおよび送信装置パスワードを受信する（Ｓ２３３）。
【０１７４】
次に、コンテンツ受信装置２のコンテンツ送受信装置認証手段２２は、送信装置ＩＤおよび送信装置パスワードを含む送信装置情報が送信装置管理部２１２に記憶され、且つ、この送信装置情報内の送信装置属性情報が「許可（コンテンツの送信が許可されていること）」を示しているかを判定する（Ｓ２３５）。
コンテンツ受信装置２は、かかる条件が満たされたなら、次の動作を行い（Ｓ２２３）、一方、条件が満たされないなら、コンテンツの受信を中止する（Ｓ２２９）。
【０１７５】
一方、送信装置認証を公開鍵で行うのなら、まず、コンテンツ受信装置２は、コンテンツ送受信装置認証手段２２により、送信装置認証を公開鍵で行うことをコンテンツ送信装置１に通知する（Ｓ２３７）。
【０１７６】
次に、コンテンツ受信装置２のコンテンツ送受信装置認証手段２２が、送信装置管理部２１２から、コンテンツ送信装置１の電話番号を含む送信装置情報を検索し、この送信装置情報内の公開鍵を取り出し、所定の原文メッセージを当該公開鍵で暗号化して認証用メッセージを生成しコンテンツ送信装置１に送信する（Ｓ２３９）。
【０１７７】
次に、コンテンツ受信装置２は、コンテンツ送信装置１から解読メッセージを受信する（Ｓ２４１）。
【０１７８】
次に、コンテンツ送受信装置認証手段２２は、解読メッセージと原文メッセージが互いに一致し、且つ、検索した送信装置情報内の送信装置属性情報が「許可（コンテンツの送信が許可されていること）」を示しているか否かを判定する（Ｓ２４３）。
【０１７９】
コンテンツ受信装置２は、かかる条件が満たされたなら、次の動作を行い（Ｓ２２３）、一方、条件が満たされないなら、コンテンツの受信を中止する（Ｓ２２９）。
【０１８０】
図２４は、コンテンツ送信装置１における送信装置認証に係る動作フローチャート例を示す図である。
【０１８１】
ＴＣＰセッションが確立し、受信側能力通知が行われると、送信装置認証方法に応じて処理が分岐する（Ｓ２５１）。
【０１８２】
コンテンツ送信装置１は、送信装置の認証が不要なら、次の動作（例えば、送信者認証における情報送信、受信装置認証や受信者認証、コンテンツの送信など）を行う（Ｓ２５３）。
【０１８３】
一方、送信装置認証をＩＤ／パスワードで行うのなら、まず、コンテンツ送信装置１は、コンテンツ送受信者認証手段１３により、送信装置管理部１１１に記憶されている送信装置ＩＤおよび送信装置パスワードを読み出し、コンテンツ受信装置２に送信する（Ｓ２５５）。
【０１８４】
次に、コンテンツ送信装置１は、コンテンツ受信装置２から、送信装置認証結果通知を受信し（Ｓ２５７）、送信装置認証結果通知において認証が成功しているか否かを判定する（Ｓ２５９）。
【０１８５】
コンテンツ送信装置１は、認証が成功していたなら、次の動作を行い（Ｓ２５３）、一方、認証が失敗していたなら、コンテンツの送信を中止する（Ｓ２６１）。
【０１８６】
一方、送信装置認証を公開鍵で行うのなら、まず、コンテンツ送信装置１は、コンテンツ受信装置２から認証用メッセージを受信する（Ｓ２６３）。
【０１８７】
次に、コンテンツ送信装置１は、コンテンツ送受信者認証手段１３により、送信装置管理部１１１から秘密鍵を取り出し、当該秘密鍵で当該認証用メッセージを復号化して解読メッセージを生成し、解読メッセージをコンテンツ受信装置２に送信する（Ｓ２６５）。  次に、コンテンツ送信装置１は、コンテンツ受信装置２から、送信装置認証結果通知を受信し（Ｓ２５７）、送信装置認証結果通知において認証が成功しているか否かを判定する（Ｓ２５９）。
【０１８８】
コンテンツ送信装置１は、認証が成功していたなら、次の動作を行い（Ｓ２５３）、一方、認証が失敗していたなら、コンテンツの送信を中止する（Ｓ２６１）。
【０１８９】
図２５は、コンテンツ送信装置１における受信者認証に係る動作フローチャート例を示す図である。
【０１９０】
ＴＣＰセッションが確立し、受信側能力通知が行われると、受信者認証方法に応じて処理が分岐する（Ｓ２７１）。
【０１９１】
コンテンツ送信装置１は、受信者の認証が不要なら、次の動作（例えば、受信装置認証、送信装置認証や送信者認証における情報送信、コンテンツの送信など）を行う（Ｓ２２３）。
【０１９２】
一方、受信者認証をＩＤ／パスワードで行うのなら、まず、コンテンツ送信装置１は、コンテンツ送受信者認証手段１３により、ＩＤ／パスワードの入力をコンテンツ受信装置２に要求する（Ｓ２７５）。
【０１９３】
次に、コンテンツ送信装置１は、コンテンツ受信装置２から受信者ＩＤおよび受信者パスワードを受信する（Ｓ２７７）。
【０１９４】
コンテンツ送信装置１のコンテンツ送受信者認証手段１３は、受信者ＩＤおよび受信者パスワードを含む受信者情報が受信者管理部１１４に記憶され、且つ、この受信者情報内の受信者属性情報が「許可（コンテンツの受信が許可されていること）」を示しているかを判定する（Ｓ２７９）。
【０１９５】
コンテンツ送信装置１は、かかる条件が満たされたなら、次の動作を行い（Ｓ２７３）、一方、条件が満たされないなら、コンテンツの送信を中止する（Ｓ２８１）。
【０１９６】
一方、受信者認証を公開鍵で行うのなら、まず、コンテンツ送信装置１は、コンテンツ送受信者認証手段１３により、受信者認証を公開鍵で行うことをコンテンツ受信装置２に通知する（Ｓ２８３）。
【０１９７】
次に、コンテンツ送信装置１のコンテンツ送受信者認証手段１３が、受信者管理部１１４から、コンテンツを受信しようとする人の受信者情報を検索し、この受信者情報内の公開鍵を取り出し、所定の原文メッセージを当該公開鍵で暗号化して認証用メッセージを生成しコンテンツ受信装置２に送信する（Ｓ２８５）。
【０１９８】
次に、コンテンツ送信装置１は、コンテンツ受信装置２から解読メッセージを受信する（Ｓ２８７）。
【０１９９】
次に、コンテンツ送受信者認証手段１３は、解読メッセージと原文メッセージが互いに一致し、且つ、検索した受信者情報内の受信者属性情報が「許可（コンテンツの受信が許可されていること）」を示しているか否かを判定する（Ｓ２８９）。
【０２００】
コンテンツ送信装置１は、かかる条件が満たされたなら、次の動作を行い（Ｓ２７３）、一方、条件が満たされないなら、コンテンツの送信を中止する（Ｓ２８１）。
【０２０１】
一方、受信者認証を生体情報を用いて行うのなら、まず、コンテンツ送信装置１は、コンテンツ送受信者認証手段１３により、生体情報の入力をコンテンツ受信装置２に要求する（Ｓ２９１）。
【０２０２】
次に、コンテンツ送信装置１は、コンテンツ受信装置２から受信者生体情報を受信する（Ｓ２９３）。
【０２０３】
コンテンツ送信装置１のコンテンツ送受信者認証手段１３は、この受信者生体情報を含む受信者情報が受信者管理部１１４に記憶され、且つ、この受信者情報内の受信者属性情報が「許可（コンテンツの受信が許可されていること）」を示しているか否かを判定する（Ｓ２９５）。
【０２０４】
コンテンツ送信装置１は、かかる条件が満たされたなら、次の動作を行い（Ｓ２７３）、一方、条件が満たされないなら、コンテンツの送信を中止する（Ｓ２８１）。
【０２０５】
図２６は、コンテンツ受信装置２における受信者認証に係る動作フローチャート例を示す図である。
【０２０６】
ＴＣＰセッションが確立し、受信側能力通知が行われると、受信者認証方法に応じて処理が分岐する（Ｓ３０１）。
【０２０７】
コンテンツ受信装置２は、受信者の認証が不要なら、次の動作（例えば、受信装置認証における情報送信、送信装置認証や送信者認証、コンテンツの受信など）を行う（Ｓ３０３）。
【０２０８】
一方、受信者認証をＩＤ／パスワードで行うのなら、コンテンツ受信装置２は、コンテンツ送受信者認証手段２３により、受信者管理部２１３における該当のコンテンツ受信者（コンテンツを受信しようとする人）についての受信者情報を検索し、この受信者情報内の受信者ＩＤおよび受信者パスワードをコンテンツ送信装置１に送信する（Ｓ３０５）。または、コンテンツ受信装置２は、コンテンツ送受信者認証手段２３により、コンテンツ受信者によりキーボードなどで入力された受信者ＩＤおよび受信者パスワードをコンテンツ送信装置１に送信する（Ｓ３０５）。
【０２０９】
次に、コンテンツ受信装置２は、コンテンツ送信装置１から、受信者認証結果通知を受信し（Ｓ３０７）、受信者認証結果通知において認証が成功しているか否かを判定する（Ｓ３０９）。
【０２１０】
コンテンツ受信装置２は、認証が成功していたなら、次の動作を行い（Ｓ３０３）、一方、認証が失敗していたなら、コンテンツの受信を中止する（Ｓ３１１）。
【０２１１】
一方、受信者認証を公開鍵で行うのなら、まず、コンテンツ受信装置２は、コンテンツ送信装置１から、認証用メッセージを受信する（Ｓ３１３）。
【０２１２】
次に、コンテンツ受信装置２は、コンテンツ送受信者認証手段１３により、受信者管理部２１３から、コンテンツを受信しようとする人の受信者情報を検索し、この受信者情報内の秘密鍵を取り出し、当該秘密鍵で当該認証用メッセージを復号化して解読メッセージを生成し、解読メッセージをコンテンツ送信装置１に送信する（Ｓ３１５）。
【０２１３】
次に、コンテンツ受信装置２は、コンテンツ送信装置１から、受信者認証結果通知を受信し（Ｓ３０７）、受信者認証結果通知において認証が成功しているか否かを判定する（Ｓ３０９）。
【０２１４】
コンテンツ受信装置２は、認証が成功していたなら、次の動作を行い（Ｓ３０３）、一方、認証が失敗していたなら、コンテンツの受信を中止する（Ｓ３１１）。
【０２１５】
一方、受信者認証を生体情報を用いて行うのなら、まず、コンテンツ受信装置２は、コンテンツ送受信者認証手段２３により、コンテンツを受信しようとする人の受信者生体情報（指紋など）を読み取り装置などから入力し、受信者生体情報をコンテンツ送信装置１に送信する（Ｓ３１７）。
【０２１６】
次に、コンテンツ受信装置２は、コンテンツ送信装置１から、受信者認証結果通知を受信し（Ｓ３０７）、受信者認証結果通知において認証が成功しているか否かを判定する（Ｓ３０９）。
【０２１７】
コンテンツ受信装置２は、認証が成功していたなら、次の動作を行い（Ｓ３０３）、一方、認証が失敗していたなら、コンテンツの受信を中止する（Ｓ３１１）。
【０２１８】
図２７は、コンテンツ受信装置２における送信者認証に係る動作フローチャート例を示す図である。  
ＴＣＰセッションが確立し、受信側能力通知が行われると、送信者認証方法に応じて処理が分岐する（Ｓ３２１）。
【０２１９】
コンテンツ受信装置２は、送信者の認証が不要なら、次の動作（例えば、送信装置認証、受信装置認証や受信者認証における情報送信、コンテンツの受信など）を行う（Ｓ３２３）。
【０２２０】
一方、送信者認証をＩＤ／パスワードで行うのなら、まず、コンテンツ受信装置２は、コンテンツ送受信者認証手段２３により、ＩＤ／パスワードの入力をコンテンツ送信装置１に要求する（Ｓ３２５）。
【０２２１】
次に、コンテンツ受信装置２は、コンテンツ送信装置１から送信者ＩＤおよび送信者パスワードを受信する（Ｓ３２７）。
【０２２２】
コンテンツ受信装置２のコンテンツ送受信者認証手段２３は、送信者ＩＤおよび送信者パスワードを含む送信者情報が送信者管理部２１４に記憶され、且つ、この送信者情報内の送信者属性情報が「許可（コンテンツの送信が許可されていること）」を示しているかを判定する（Ｓ３２９）。
【０２２３】
コンテンツ受信装置２は、かかる条件が満たされたなら、次の動作を行い（Ｓ３２３）、一方、条件が満たされないなら、コンテンツの受信を中止する（Ｓ３３１）。
【０２２４】
一方、送信者認証を公開鍵で行うのなら、まず、コンテンツ受信装置２は、コンテンツ送受信者認証手段２３により、送信者認証を公開鍵で行うことをコンテンツ送信装置１に通知する（Ｓ３３３）。
【０２２５】
次に、コンテンツ受信装置２のコンテンツ送受信者認証手段２３が、送信者管理部２１４から、コンテンツを送信しようとする人の送信者情報を検索し、この送信者情報内の公開鍵を取り出し、所定の原文メッセージを当該公開鍵で暗号化して認証用メッセージを生成しコンテンツ送信装置１に送信する（Ｓ３３５）。
【０２２６】
次に、コンテンツ受信装置２は、コンテンツ送信装置１から解読メッセージを受信する（Ｓ３３７）。
【０２２７】
次に、コンテンツ送受信者認証手段２３は、解読メッセージと原文メッセージが互いに一致し、且つ、検索した送信者情報内の送信者属性情報が「許可（コンテンツの送信が許可されていること）」を示しているか否かを判定する（Ｓ３３９）。
【０２２８】
コンテンツ受信装置２は、かかる条件が満たされたなら、次の動作を行い（Ｓ３２３）、一方、条件が満たされないなら、コンテンツの受信を中止する（Ｓ３３１）。
【０２２９】
一方、送信者認証を生体情報を用いて行うのなら、まず、コンテンツ受信装置２は、コンテンツ送受信者認証手段２３により、生体情報の入力をコンテンツ送信装置１に要求する（Ｓ３４１）。
【０２３０】
次に、コンテンツ受信装置２は、コンテンツ送信装置１から送信者生体情報を受信する（Ｓ３４３）。
【０２３１】
コンテンツ受信装置２のコンテンツ送受信者認証手段２３は、この送信者生体情報を含む送信者情報が送信者管理部２１４に記憶され、且つ、この送信者情報内の送信者属性情報が「許可（コンテンツの送信が許可されていること）」を示しているか否かを判定する（Ｓ３４５）。
【０２３２】
コンテンツ受信装置２は、かかる条件が満たされたなら、次の動作を行い（Ｓ３２３）、一方、条件が満たされないなら、コンテンツの受信を中止する（Ｓ３３１）。
【０２３３】
図２８は、コンテンツ送信装置１における送信者認証に係る動作フローチャート例を示す図である。  
ＴＣＰセッションが確立し、受信側能力通知が行われると、送信者認証方法に応じて処理が分岐する（Ｓ３５１）。
【０２３４】
コンテンツ送信装置１は、送信者の認証が不要なら、次の動作（例えば、送信装置認証における情報送信、受信装置認証や受信者認証、コンテンツの送信など）を行う（Ｓ３５３）。
【０２３５】
一方、送信者認証をＩＤ／パスワードで行うのなら、コンテンツ送信装置１は、コンテンツ送受信者認証手段１３により、送信者管理部１１３における該当のコンテンツ送信者（コンテンツを送信しようとする人）についての送信者情報を検索し、この送信者情報内の送信者ＩＤおよび送信者パスワードをコンテンツ受信装置２に送信する（Ｓ３５５）。または、コンテンツ送信装置１は、コンテンツ送受信者認証手段１３により、コンテンツ送信者によりキーボードなどで入力された送信者ＩＤおよび送信者パスワードをコンテンツ受信装置２に送信する（Ｓ３５５）。
【０２３６】
次に、コンテンツ送信装置１は、コンテンツ受信装置２から、送信者認証結果通知を受信し（Ｓ３５７）、送信者認証結果通知において認証が成功しているか否かを判定する（Ｓ３５９）。
【０２３７】
コンテンツ送信装置１は、認証が成功していたなら、次の動作を行い（Ｓ３５３）、一方、認証が失敗していたなら、コンテンツの送信を中止する（Ｓ３６１）。
【０２３８】
一方、送信者認証を公開鍵で行うのなら、まず、コンテンツ送信装置１は、コンテンツ受信装置２から、認証用メッセージを受信する（Ｓ３６３）。
【０２３９】
次に、コンテンツ送信装置１のコンテンツ送受信者認証手段１３は、送信者管理部１１３から、コンテンツを送信しようとする人の送信者情報を検索し、この送信者情報内の秘密鍵を取り出し、当該秘密鍵で当該認証用メッセージを復号化して解読メッセージを生成し、解読メッセージをコンテンツ受信装置２に送信する（Ｓ３６５）。
【０２４０】
次に、コンテンツ送信装置１は、コンテンツ受信装置２から、送信者認証結果通知を受信し（Ｓ３５７）、送信者認証結果通知において認証が成功しているか否かを判定する（Ｓ３５９）。
【０２４１】
コンテンツ送信装置１は、認証が成功していたなら、次の動作を行い（Ｓ３５３）、一方、認証が失敗していたなら、コンテンツの送信を中止する（Ｓ３６１）。
【０２４２】
一方、送信者認証を生体情報を用いて行うのなら、まず、コンテンツ送信装置１は、コンテンツ送受信者認証手段１３により、コンテンツを送信しようとする人の送信者生体情報（指紋など）を読み取り装置などから入力し、送信者生体情報をコンテンツ受信装置２に送信する（Ｓ３６７）。
【０２４３】
次に、コンテンツ送信装置１は、コンテンツ受信装置２から、送信者認証結果通知を受信し（Ｓ３５７）、送信者認証結果通知において認証が成功しているか否かを判定する（Ｓ３５９）。
【０２４４】
コンテンツ送信装置１は、認証が成功していたなら、次の動作を行い（Ｓ３５３）、一方、認証が失敗していたなら、コンテンツの送信を中止する（Ｓ３６１）。
【０２４５】
以上説明したように、本実施の形態に係るコンテンツ送受信システムよれば、コンテンツ送信装置１は、コンテンツの送信にあたり、相手が許可された相手であるか否かを判定するための情報を記憶する送信側記憶手段１１と、コンテンツの送信にあたり、コンテンツ受信装置から情報を受信し、該情報及び当該送信側記憶手段に記憶された情報に基づいて、当該コンテンツ受信装置が、コンテンツの受信を許可されたコンテンツ受信装置か否かを判定するコンテンツ受信装置認証手段としての機能を有するコンテンツ送受信装置認証手段１２と、コンテンツの送信にあたり、コンテンツ受信装置から情報を受信し、該情報及び当該送信側記憶手段に記憶された情報と基づいて、当該コンテンツ受信装置を介してコンテンツを受信するコンテンツ受信者が、コンテンツの受信を許可されたコンテンツ受信者か否かを判定するコンテンツ受信者認証手段としての機能を有するコンテンツ送受信者認証手段１３とを有し、コンテンツ受信装置２は、コンテンツの受信にあたり、相手が許可された相手であるか否かを判定するための情報を記憶する受信側記憶手段２１と、コンテンツの受信にあたり、コンテンツ送信装置から情報を受信し、該情報及び当該受信側記憶手段に記憶された情報に基づいて、当該コンテンツ送信装置が、コンテンツの送信を許可されたコンテンツ送信装置か否かを判定するコンテンツ送信装置認証手段を有するコンテンツ送受信装置認証手段２２と、コンテンツの受信にあたり、コンテンツ送信装置から情報を受信し、該情報及び当該受信側記憶手段に記憶された情報に基づいて、当該コンテンツ送信装置を介してコンテンツを送信するコンテンツ送信者が、コンテンツの送信を許可されたコンテンツ送信者か否かを判定するコンテンツ送信者認証手段としての機能を有するコンテンツ送受信者認証手段２３とを有するので、許可されていない相手の装置および人との間でのコンテンツの送受信を防止することができる。
【０２４６】
また、コンテンツ受信装置認証手段、コンテンツ送信装置認証手段、コンテンツ受信者認証手段、コンテンツ送信者認証手段は、受信した情報および該情報の比較対象である情報が互いに一致したなら、相手は許可された相手であるとの判定結果を得ることで、一致してないなら、つまり、許可されていない相手の装置および人との間でのコンテンツの送受信を防止することができる。
【０２４７】
また、比較対象の情報は、相手を示すＩＤおよびパスワードであることで、ＩＤおよびパスワードが受信した情報と一致してないなら、つまり、許可されていない相手の装置および人との間でのコンテンツの送受信を防止することができる。
【０２４８】
また、コンテンツ受信者認証手段、コンテンツ送信者認証手段は、受信した情報および該情報の比較対象である情報が互いに一致したなら、相手は許可された相手であるとの判定結果を得るものであり、比較対象の情報は、相手の生体的特徴を示す生体情報であることで、生体情報が受信した情報と一致してないなら、つまり、許可されていない相手の装置および人との間でのコンテンツの送受信を防止することができる。
【０２４９】
また、コンテンツ受信装置認証手段、コンテンツ送信装置認証手段、コンテンツ受信者認証手段、コンテンツ送信者認証手段は、所定の原文メッセージを相手の公開鍵で暗号化して認証用メッセージを生成し相手の装置に送信し、当該認証用メッセージが相手の秘密鍵で復号化されて生成された解読メッセージを相手の装置から受信し、当該解読メッセージと原文メッセージが互いに一致したなら、相手は許可された相手であるとの判定結果を得ることで、解読メッセージと原文メッセージが互いに一致していないなら、つまり、許可されていない相手の装置および人との間でのコンテンツの送受信を防止することができる。
【０２５０】
なお、認証方法は、認証対象ごとに異なっていてもよく、例えば、受信装置認証をＩＤおよびパスワードで行い、送信装置認証を公開鍵で行い、受信者認証および送信者認証を生体情報で行うというように、任意の組み合わせを採用することができる。
【０２５１】
また、本実施の形態に係るコンテンツ送受信システムにおけるコンテンツ送信装置またはコンテンツ受信装置としてコンピュータを機能させるためのコンピュータプログラムは、半導体メモリ、磁気ディスク、光ディスク、光磁気ディスク、磁気テープなどのコンピュータ読み取り可能な記録媒体に記録でき、また、インターネットなどの通信網を介して伝送させて、広く流通させることができる。
【符号の説明】
【０２５２】
１…コンテンツ送信装置
２…コンテンツ受信装置
１１…送信側記憶手段
１２、２２…コンテンツ送受信装置認証手段
１３、２３…コンテンツ送受信者認証手段
２１…受信側記憶手段
１１１、２１２…送信装置管理部
１１２、２１１…受信装置管理部
１１３、２１４…送信者管理部
１１４、２１３…受信者管理部
【図１】
2011164673.tif 000003
【図２】
2011164673.tif 000004
【図３】
2011164673.tif 000005
【図４】
2011164673.tif 000006
【図５】
2011164673.tif 000007
【図６】
2011164673.tif 000008
【図７】
2011164673.tif 000009
【図８】
2011164673.tif 000010
【図９】
2011164673.tif 000011
【図１０】
2011164673.tif 000012
【図１１】
2011164673.tif 000013
【図１２】
2011164673.tif 000014
【図１３】
2011164673.tif 000015
【図１４】
2011164673.tif 000016
【図１５】
2011164673.tif 000017
【図１６】
2011164673.tif 000018
【図１７】
2011164673.tif 000019
【図１８】
2011164673.tif 000020
【図１９】
2011164673.tif 000021
【図２０】
2011164673.tif 000022
【図２１】
2011164673.tif 000023
【図２２】
2011164673.tif 000024
【図２３】
2011164673.tif 000025
【図２４】
2011164673.tif 000026
【図２５】
2011164673.tif 000027
【図２６】
2011164673.tif 000028
【図２７】
2011164673.tif 000029
【図２８】
2011164673.tif 000030
【図２９】
2011164673.tif 000031